(57)【要約】【課題】人物照合の精度を高め、照合時間を短くするとともに、人物照合の利便性を高めることである。【解決手段】特徴データを有する第１の登録特徴データ群を記憶するメモリ３５及び特徴データと各特徴データに対応付けられたＩＤを有する第２の登録特徴データ群を記憶するＨＤＤ１５と、人物の指紋情報の特徴データを取得する指紋照合モジュール３０と、ＩＤの入力を受け付ける操作手段１２と、指紋照合モジュール３０により取得された特徴データと第１の登録特徴データ群とを比較し、指紋照合モジュールにより取得された特徴データが第１の登録特徴データ群の特徴データと一致しない場合、ＩＤに対応する特徴データを第２の登録特徴データ群から取得し、当該特徴データと指紋照合モジュール３０により取得された特徴データとを比較する制御手段と、を備える人物照合装置。【選択図】図１
2006202207.tif 000002
【特許請求の範囲】
【請求項１】
生体情報の特徴データを有する第１の登録特徴データ群及び生体情報の特徴データと各特徴データに対応付けられたＩＤとを有する第２の登録特徴データ群を記憶する記憶手段と、
人物の生体情報の入力を受け付け、その生体情報の特徴データを取得する生体情報入力手段と、
人物のＩＤの入力を受け付けるＩＤ入力手段と、
前記生体情報入力手段により取得された特徴データと前記第１の登録特徴データ群とを比較し、前記生体情報入力手段により取得された特徴データが前記第１の登録特徴データ群の特徴データと一致しない場合、前記ＩＤ入力手段により入力されたＩＤに対応する特徴データを前記第２の登録特徴データ群から取得し、当該特徴データと前記生体情報入力手段により取得された特徴データとが一致するか否かを比較する制御手段と、
を備えることを特徴とする人物照合装置。
【請求項２】
複数の生体情報の特徴データを有する登録特徴データ群を記憶する記憶手段と、
人物の生体情報の入力を受け付け、その生体情報の特徴データを取得する生体情報入力手段と、
人物のＩＤの入力を受け付けるＩＤ入力手段と、
前記生体情報入力手段により取得された特徴データと前記登録特徴データ群の一部の特徴データとを比較し、前記生体情報入力手段により取得された特徴データが前記登録特徴データ群の特徴データと一致しない場合、前記ＩＤの入力を前記ＩＤ入力手段に対して指示する制御手段と、
を備えることを特徴とする人物照合装置。
【請求項３】
請求項２に記載の人物照合装置において、
前記登録特徴データ群は、前記登録特徴データ群の一部としての第１の登録特徴データ群と第２の登録特徴データ群とによって構成されると共に、前記第２の登録特徴データ群は、各特徴データにＩＤが対応付けられて記憶されていること、
を特徴とする人物照合装置。
【請求項４】
複数の生体情報の特徴データを有する登録特徴データ群を記憶する記憶手段と、
人物の生体情報の入力を受け付け、その生体情報の特徴データを取得する生体情報入力手段と、
人物のＩＤの入力を受け付けるＩＤ入力手段を備え、
前記登録特徴データ群は、特定の生体情報の特徴データを有する第１の登録特徴データ群と第２の登録特徴データ群とによって構成されると共に、前記第２の登録特徴データ群は、各特徴データにＩＤが対応付けられて記憶されていること、
を特徴とする人物照合装置。
【請求項５】
請求項１に記載の人物照合装置において、
前記第１の登録特徴データ群の各特徴データは、前記ＩＤと対応付けられていること、
を特徴とする人物照合装置。
【請求項６】
請求項５に記載の人物照合装置において、
前記各ＩＤは個別設定情報と対応付けられていると共に、
前記制御手段は、
前記生体情報入力手段により取得された特徴データが前記第１の登録特徴データ群の特徴データと一致又は前記第２の登録特徴データ群から取得された特徴データと一致したと判断した場合、一致した特徴データと対応付けられたＩＤに基づいて、前記個別設定情報を取得すること、
を特徴とする人物照合装置。
【請求項７】
請求項１、３、５又は６に記載の人物照合装置において、
前記制御手段は、
前記生体情報入力手段により取得された特徴データと前記第１の登録特徴データ群とを比較する場合及び前記第２の登録特徴データ群から取得した前記ＩＤ入力手段により入力されたＩＤに対応する特徴データと前記生体情報入力手段により取得された特徴データとが一致するか否かを比較する場合、特徴データ同士の一致する割合が予め設定された閾値以上であるか否かに基づいて判断を行うこと、
を特徴とする人物照合装置。
【請求項８】
請求項７に記載の人物照合装置において、
前記制御手段は、
特徴データ同士の一致する割合が予め設定された閾値以上であると判断した場合、所定手段の使用許可を設定すること、
を特徴とする人物照合装置。
【請求項９】
請求項７に記載の人物照合装置において、
前記制御手段は、
特徴データ同士の一致する割合が予め設定された閾値以上であると判断した場合、記録媒体上に画像を形成する画像形成手段の使用許可を設定すること、
を特徴とする人物照合装置。
【請求項１０】
請求項１若しくは３又は請求項５から９のいずれか一項に記載の人物照合装置において、
前記制御手段は、
前記第２の登録特徴データ群から取得した前記ＩＤ入力手段により入力されたＩＤに対応する特徴データと前記生体情報入力手段により取得された特徴データとが一致しないと判断した場合、
生体情報の再入力により特徴データを前記生体情報入力手段から再取得し、
前記再取得された特徴データと、前記第２の登録特徴データ群から取得した前記ＩＤ入力手段により入力されたＩＤに対応する特徴データとが一致するか否かを比較すること、
を特徴とする人物照合装置。
【請求項１１】
請求項１若しくは３又は請求項５から９のいずれか一項に記載の人物照合装置において、
前記記憶手段は、
生体情報の特徴データと各生体情報に対応付けられたＩＤと、ＩＤに対応するパスワードを有する第３の登録特徴データ群を記憶しており、
前記制御手段は、
前記第２の登録特徴データ群から取得した前記ＩＤ入力手段により入力されたＩＤに対応する特徴データと前記生体情報入力手段により取得された特徴データとが一致しないと判断した場合、
ＩＤに対応するパスワードを前記ＩＤ入力手段から取得し、
前記第３の登録特徴データ群から前記ＩＤ入力手段により入力されたＩＤに対応するパスワードを取得し、前記前記ＩＤ入力手段から取得したパスワードと前記第３の登録特徴データ群から取得した前記ＩＤ入力手段により入力されたＩＤに対応するパスワードとが一致するか否かを比較すること、
を特徴とする人物照合装置。
【請求項１２】
請求項１又は請求項３から１１のいずれか一項に記載の人物照合装置において、
前記第１の登録特徴データ群は、前記第２の登録特徴データ群に含まれる特徴データよりも少ない特徴データに対応するものであること、
を特徴とする人物照合装置。
【請求項１３】
請求項１又は請求項３から１２のいずれか一項に記載の人物照合装置において、
前記第１の登録特徴データ群と前記第２の登録特徴データ群とは、異なる記憶手段に記憶されること、
を特徴とする人物照合装置。
【請求項１４】
請求項１又は請求項３から１２のいずれか一項に記載の人物照合装置において、
前記第１及び第２の登録特徴データ群は、同一の記憶手段に記憶されること、
を特徴とする人物照合装置。
【請求項１５】
請求項１４に記載の人物照合装置において、
前記第１の登録特徴データ群と前記第２の登録特徴データ群は単一のデータベースとして構成されること、
を特徴とする人物照合装置。
【請求項１６】
請求項１又は請求項３から１５のいずれか一項に記載の人物照合装置において、
同一ＩＤに対し複数の特徴データが登録されていること、
を特徴とする人物照合装置。
【請求項１７】
請求項１又は請求項３から１６のいずれか一項に記載の人物照合装置において、
前記記憶手段は、
前記第１及び第２の登録特徴データ群は、前記ＩＤに対応する最新使用日時を有する第４の登録特徴データ群であり、
当該第４の登録特徴データ群の各特徴データは、前記最新使用日時に基づいて使用日時が新しい順番に並び替えられており、当該第１の登録特徴データ群は、当該第４の登録特徴データ群内の最上位から予め設定された順番までの特徴データであること、
を特徴とする人物照合装置。
【請求項１８】
請求項１から１７のいずれか一項に記載の人物照合装置において、
前記生体情報は、指紋、虹彩、顔、静脈、声紋の少なくとも一つの情報であること、
を特徴とする人物照合装置。
【請求項１９】
人物照合装置と、前記人物照合装置と相互に通信可能に接続される情報処理装置と、を備える人物照合システムにおいて、
前記人物照合装置は、
生体情報の特徴データを有する第１の登録特徴データ群を記憶する第１の記憶手段と、
人物の生体情報の入力を受け付け、その生体情報の特徴データを取得する生体情報入力手段と、
人物のＩＤの入力を受け付けるＩＤ入力手段と、
前記情報処理装置と通信する第１の通信手段と、
前記生体情報入力手段により取得された特徴データと前記第１の登録特徴データ群とを比較し、前記生体情報入力手段により取得された特徴データが前記第１の登録特徴データ群の特徴データと一致しない場合、前記ＩＤ入力手段により入力されたＩＤに対応する特徴データを前記情報処理装置に要求して受信し、当前記生体情報入力手段により取得された特徴データと前記情報処理装置から取得した特徴データとが一致するか否かを比較する第１の制御手段と、を有し、
前記情報処理装置は、
生体情報の特徴データと各生体情報に対応付けられたＩＤとを有する第２の登録特徴データ群を記憶する第２の記憶手段と、
前記人物照合装置と通信する第２の通信手段と、
前記ＩＤに対応する特徴データの要求を受信し、当該ＩＤに対応する特徴データを、前記第２の記憶手段に記憶された前記第２の特徴データ群から検索して前記人物照合装置へ送信する第２の制御手段と、を有すること、
を特徴とする人物照合システム。
【請求項２０】
人物照合装置と、前記人物照合装置と相互に通信可能に接続される情報処理装置と、を備える人物照合システムにおいて、
前記人物照合装置は、
複数の生体情報の特徴データを有する第１の登録特徴データ群を記憶する第１の記憶手段と、
人物の生体情報の入力を受け付け、その生体情報の特徴データを取得する生体情報入力手段と、
人物のＩＤの入力を受け付けるＩＤ入力手段と、
前記情報処理装置と通信する第１の通信手段と、
前記生体情報入力手段により取得された特徴データと前記第１の登録特徴データ群とを比較し、前記生体情報入力手段により取得された特徴データが前記第１の登録特徴データ群の特徴データと一致しない場合、前記ＩＤの入力を前記ＩＤ入力手段に対して指示する第１の制御手段と、を有し、
前記情報処理装置は、
生体情報の特徴データと各生体情報に対応付けられたＩＤを有する第２の登録特徴データ群を記憶する第２の記憶手段と、
前記人物照合装置と通信する第２の通信手段と、
前記ＩＤに対応する特徴データを、前記第２の記憶手段に記憶された前記第２の特徴データ群から検索して前記人物照合装置へ送信する第２の制御手段と、を有すること、
を特徴とする人物照合システム。
【請求項２１】
人物照合装置と、前記人物照合装置と相互に通信可能に接続される情報処理装置と、を備える人物照合システムにおいて、
前記人物照合装置は、
生体情報の特徴データを有する第１の登録特徴データ群を記憶する第１の記憶手段と、
人物の生体情報の入力を受け付け、その生体情報の特徴データを取得する生体情報入力手段と、
人物のＩＤの入力を受け付けるＩＤ入力手段と、
前記情報処理装置と通信する第１の通信手段と、を有し、
前記情報処理装置は、
生体情報の特徴データを有する第２の登録特徴データ群を記憶する第２の記憶手段と、  前記人物照合装置と通信する第２の通信手段と、を有し、
第２の登録特徴データ群は、各特徴データにＩＤが対応付けられて記憶されていること、
を特徴とする人物照合システム。
【請求項２２】
請求項１９に記載の人物照合システムにおいて、
前記第１の登録特徴データ群の各特徴データは、前記ＩＤと対応付けられていること、
を特徴とする人物照合システム。
【請求項２３】
請求項２２に記載の人物照合システムにおいて、
前記各ＩＤは個別設定情報と対応付けられていると共に、
前記第１の制御手段は、
前記生体情報入力手段により取得された特徴データが前記第１の登録特徴データ群の特徴データと一致又は前記情報処理装置から取得した特徴データと一致したと判断した場合、一致した特徴データと対応付けられたＩＤに基づいて、前記個別設定情報を読み出すこと、
を特徴とする人物照合システム。
【請求項２４】
請求項１９、２０、２２又は２３に記載の人物照合システムにおいて、
前記第１の制御手段は、
前記生体情報入力手段により取得された特徴データと前記第１の登録特徴データ群とを比較する場合及び前記生体情報入力手段により取得された特徴データと前記情報処理装置から取得した特徴データとが一致するか否かを比較する場合、特徴データ同士の一致する割合が予め設定された閾値以上であるか否かに基づいて判断を行うこと、
を特徴とする人物照合システム。
【請求項２５】
請求項２４に記載の人物照合システムにおいて、
前記第１の制御手段は、
特徴データ同士の一致する割合が予め設定された閾値以上であると判断した場合、所定手段の使用許可を設定すること、
を特徴とする人物照合システム。
【請求項２６】
請求項２４に記載の人物照合システムにおいて、
前記第１の制御手段は、
特徴データ同士の一致する割合が予め設定された閾値以上であると判断した場合、記録媒体上に画像を形成する画像形成手段の使用許可を設定すること、
を特徴とする人物照合システム。
【請求項２７】
請求項１９若しくは２０又は請求項２２から２６のいずれか一項に記載の人物照合システムにおいて、
前記第１の制御手段は、
前記情報処理装置から取得した特徴データと前記生体情報入力手段により取得された特徴データとが一致しないと判断した場合、
生体情報の再入力により特徴データを前記生体情報入力手段から再取得し、
前記再取得された特徴データと、前記情報処理装置から取得した特徴データとが一致するか否かを比較すること、
を特徴とする人物照合システム。
【請求項２８】
請求項１９若しくは２０又は請求項２２から２６のいずれか一項に記載の人物照合システムにおいて、
前記第１の記憶手段は、
生体情報の特徴データと各生体情報に対応付けられたＩＤと、当該ＩＤに対応するパスワードを有する第３の登録特徴データ群を記憶しており、
前記第１の制御手段は、
前記情報処理装置から取得した特徴データと前記生体情報入力手段により取得された特徴データとが一致しないと判断した場合、
前記ＩＤに対応するパスワードを前記ＩＤ入力手段から受け付け、
前記第３の登録特徴データ群から前記ＩＤ入力手段により入力されたＩＤに対応するパスワードを取得し、前記ＩＤ入力手段から受け付けられたパスワードと前記第３の登録特徴データ群から取得した前記ＩＤ入力手段により入力されたＩＤに対応するパスワードとが一致するか否かを比較すること、
を特徴とする人物照合システム。
【請求項２９】
請求項１９から２８のいずれか一項に記載の人物照合システムにおいて、
前記第１の登録特徴データ群は、前記第２の登録特徴データ群に含まれる特徴データよりも少ない特徴データに対応するものであること、
を特徴とする人物照合システム。
【請求項３０】
請求項１９から２９のいずれか一項に記載の人物照合システムにおいて、
同一ＩＤに対し複数の特徴データが登録されていること、
を特徴とする人物照合システム。
【請求項３１】
請求項１９から３０のいずれか一項に記載の人物照合システムにおいて、
前記第１及び第２の登録特徴データ群は、前記ＩＤに対応する最新使用日時を有する第４の登録特徴データ群であり且つ前記第２の記憶手段に記憶されており、
当該第４の登録特徴データ群の各特徴データは、前記最新使用日時に基づいて使用日時が新しい順番に並び替えられ、当該第１の登録特徴データ群は、当該第４の登録特徴データ群内の最上位から予め設定された順番までの特徴データであること、
を特徴とする人物照合システム。
【請求項３２】
請求項１９から３１のいずれか一項に記載の人物照合システムにおいて、
前記生体情報は、指紋、虹彩、顔、静脈、声紋の少なくとも一つの情報であること、
を特徴とする人物照合システム。
【請求項３３】
人物の生体情報の入力により、その生体情報の特徴データを取得する工程と、
前記取得された特徴データと、生体情報の特徴データを有する第１の登録特徴データ群の各特徴データとが一致するか否かを比較する工程と、
前記取得された特徴データが前記第１の登録特徴データ群の特徴データと一致しない場合、前記生体情報を入力した人物のＩＤの入力を受け付ける工程と、
前記受け付けられたＩＤに対応する特徴データを生体情報の特徴データと各生体情報に対応付けられたＩＤとを有する第２の登録特徴データ群から取得し、当該第２の登録特徴データ群から取得した特徴データと前記取得された特徴データとが一致するか否かを比較する工程と、
を含むことを特徴とする人物照合方法。
【請求項３４】
人物の生体情報の入力により、その生体情報の特徴データを取得する工程と、
前記取得された特徴データと、複数の特徴データを有する登録特徴データ群の一部の特徴データとが一致するか否かを比較する工程と、
前記取得された特徴データが前記登録特徴データ群の一部の特徴データと一致しない場合、ＩＤの入力を指示する工程と、
を含むことを特徴とする人物照合方法。
【請求項３５】
請求項３４に記載の人物照合方法において、
前記登録特徴データ群は、前記登録特徴データ群の一部としての第１の登録特徴データ群と第２の登録特徴データ群とによって構成されると共に、前記第２の登録特徴データ群は、各特徴データにＩＤが対応付けられて記憶されていること、
を特徴とする人物照合方法。
【請求項３６】
請求項３３に記載の人物照合方法において、
前記第１の登録特徴データ群の各特徴データは、前記ＩＤと対応付けられていること、
を特徴とする人物照合方法。
【請求項３７】
請求項３６に記載の人物照合方法において、
前記各ＩＤは個別設定情報と対応付けられており、
前記取得された特徴データが前記第１の登録特徴データ群の特徴データと一致又は前記第２の登録特徴データ群から取得した特徴データと一致した場合、一致した特徴データと対応付けられたＩＤに基づいて、前記個別設定情報を読み出す工程を含むこと、
を特徴とする人物照合方法。
【請求項３８】
請求項３３又は請求項３５から３７のいずれか一項に記載の人物照合方法において、
前記取得された特徴データと、生体情報の特徴データと各生体情報に対応付けられたＩＤを有する第１の登録特徴データ群の各特徴データとが一致するか否かを比較する工程及び前記第２の登録特徴データ群から取得した特徴データと前記取得された特徴データとが一致するか否かを比較する工程は、特徴データ同士の一致する割合が予め設定された閾値以上であるか否かに基づいて判断を行うこと、
を特徴とする人物照合方法。
【請求項３９】
請求項３８に記載の人物照合方法において、
特徴データ同士の一致する割合が予め設定された閾値以上であると判断された場合、所定手段の使用許可を設定する工程を含むこと、
を特徴とする人物照合方法。
【請求項４０】
請求項３８に記載の人物照合方法において、
特徴データ同士の一致する割合が予め設定された閾値以上であると判断された場合、記録媒体上に画像を形成する画像形成手段の使用許可を設定する工程を含むこと、
を特徴とする人物照合方法。
【請求項４１】
請求項３３又は請求項３５から４０のいずれか一項に記載の人物照合方法において、
前記第２の登録特徴データ群から取得した特徴データと前記取得された特徴データとが一致しないと判断された場合、生体情報の再入力により特徴データを再取得する工程と、
前記再取得された特徴データと前記第２の登録特徴データ群から取得した特徴データとが一致するか否かを比較する工程と、
を含むことを特徴とする人物照合方法。
【請求項４２】
請求項３３又は請求項３５から４０のいずれか一項に記載の人物照合方法において、
前記第２の登録特徴データ群から取得した特徴データと前記取得された特徴データとが一致しないと判断された場合、ＩＤに対応するパスワードを受け付ける工程と、
生体情報の特徴データと各生体情報に対応付けられたＩＤと、ＩＤに対応するパスワードを有する前記第３の登録特徴データ群から前記ＩＤに対応するパスワードを取得し、前記受け付けられたパスワードと前記第３の登録特徴データ群から取得したパスワードとが一致するか否かを比較する工程と、
を含むことを特徴とする人物照合方法。
【請求項４３】
請求項３３又は請求項３５から４２のいずれか一項に記載の人物照合方法において、
前記第１の登録特徴データ群は、前記第２の登録特徴データ群に含まれる特徴データよりも少ない特徴データに対応するものであること、
を特徴とする人物照合方法。
【請求項４４】
請求項３３又は請求項３５から４３のいずれか一項に記載の人物照合方法において、
前記第１の登録特徴データ群と前記第２の登録特徴データ群とは、異なる記憶手段に記憶されること、
を特徴とする人物照合方法。
【請求項４５】
請求項３３又は請求項３５から４３のいずれか一項に記載の人物照合方法において、
前記第１及び第２の登録特徴データ群は、同一の記憶手段に記憶されること、
を特徴とする人物照合方法。
【請求項４６】
請求項４５に記載の人物照合方法において、
前記第１の登録特徴データ群と前記第２の登録特徴データ群は単一のデータベースとして構成されること、
を特徴とする人物照合方法。
【請求項４７】
請求項３３又は請求項３５から４６のいずれか一項に記載の人物照合方法において、
同一ＩＤに対し複数の特徴データが登録されていること、
を特徴とする人物照合方法。
【請求項４８】
請求項３３又は請求項３５から４７のいずれか一項に記載の人物照合方法において、
前記第１及び第２の登録特徴データ群は、前記ＩＤに対応する最新使用日時を有する第４の登録特徴データ群であり、当該第４の登録特徴データ群の各特徴データが前記最新使用日時に基づいて使用日時が新しい順番に並び替えられる工程を含むこと、
を特徴とする人物照合方法。
【請求項４９】
請求項３３から４８のいずれか一項に記載の人物照合方法において、
前記生体情報は、指紋、虹彩、顔、静脈、声紋の少なくとも一つの情報であること、
を特徴とする人物照合方法。
【発明の詳細な説明】
【技術分野】
【０００１】
本発明は、人物を照合する人物照合装置、人物照合システム及び人物照合方法に関する。
【背景技術】
【０００２】
従来、セキュリティ保護のため、人物の操作者情報が記録されたＩＣ（Integrated Circuit）カードの入力や、操作者のＩＤ（IDentification）及びパスワードの入力により、その入力情報を用いて人物照合が行われていた。特に、各人物が有する生体情報としての指紋を用いる指紋照合により人物照合を行うことが行われている。また、複写機等の画像形成装置が人物照合機能を有する構成も考えられている。
【０００３】
指紋照合では、予め登録されたＮ人（Ｎ：任意の複数）の人物の指紋の特徴データを取得して登録しておき、照合時に、操作者に入力された指紋の特徴データと、登録された特徴データ群のＮ個の特徴データとを比較し、一致するか（一致する登録特徴データがあるか）否かにより、本人照合を行う（以下、１：Ｎ照合とする）。例えば、指紋照合により、一致する特徴データがある場合に、入力者にコピー等の使用を許可し、一致しない場合に、コピー等の使用を不許可に設定する構成が考えられている（例えば、特許文献１参照）。
【０００４】
また、ＩＤと指紋とを組み合わせた人物照合も考えられている。図１３に、従来の人物照合処理の流れを示す。指紋入力手段と、キー入力の操作手段と、記憶手段と、を備えた複写機において実行される、指紋による人物照合を行う（従来の）人物照合処理を説明する。予め、複写機の記憶手段に、複数の特徴データが、各本人のＩＤに対応付けられて記憶手段に記憶されているものとする。
【０００５】
図１３に示ように、複写機において、先ず、操作手段を介して操作者からＩＤが入力される（ステップＳ９１）。そして、指紋入力手段を介して操作者から指紋が入力され、その指紋画像データから特徴データが生成される（ステップＳ９２）。そして、入力されたＩＤをキーとして、そのＩＤに対応する登録特徴データが、記憶手段に記憶された複数の登録特徴データから検索されて取得される（ステップＳ９３）。そして、入力特徴データと、ＩＤに対応する登録特徴データと、が比較され、一致するか否かが判別される（１：１照合）（ステップＳ９４）。
【０００６】
一致する場合（ステップＳ９４；ＹＥＳ）、複写機の使用許可が設定され（ステップＳ９５）、（従来の）人物照合処理が終了する。その後、指紋を入力した操作者が複写機を使用できる。一致しない場合（ステップＳ９４；ＮＯ）、複写機の使用不許可が設定され（ステップＳ９６）、（従来の）人物照合処理が終了する。その後、指紋を入力した操作者は、ＩＤとパスワードで認証を行う（例えば、特許文献２参照）。
【特許文献１】特開２００２−１０８４８７号公報
【特許文献２】特開２００２−９９５１５号公報
【発明の開示】
【発明が解決しようとする課題】
【０００７】
しかし、特許文献１に開示されているような従来の１：Ｎ照合では、比較するＩＤ入力が不要であるため、操作の利便性が高いものの、入力された特徴データと比較する登録特徴データの数（Ｎ）が大きくなると、照合時間も長くなってしまっていた。さらに、Ｎが大きくなると、お互いに類似した登録特徴データも多くなるので、人物照合の精度が低下するという問題があった。
【０００８】
また、特許文献２に開示されているような従来の１：１照合では、比較する登録特徴データの数が１であるため、照合時間が短く、照合精度が低下しないものの、全ての照合時にＩＤ入力が必要であるため、人物照合の利便性が低いという問題があった。
【０００９】
本発明の課題は、人物照合の精度を高め、照合時間を短くするとともに、人物照合の利便性を高めることである。
【課題を解決するための手段】
【００１０】
上記の課題は以下の構成のいずれかによって解決することができる。
（１）生体情報の特徴データを有する第１の登録特徴データ群及び生体情報の特徴データと各特徴データに対応付けられたＩＤとを有する第２の登録特徴データ群を記憶する記憶手段と、
人物の生体情報の入力を受け付け、その生体情報の特徴データを取得する生体情報入力手段と、
人物のＩＤの入力を受け付けるＩＤ入力手段と、
前記生体情報入力手段により取得された特徴データと前記第１の登録特徴データ群とを比較し、前記生体情報入力手段により取得された特徴データが前記第１の登録特徴データ群の特徴データと一致しない場合、前記ＩＤ入力手段により入力されたＩＤに対応する特徴データを前記第２の登録特徴データ群から取得し、当該特徴データと前記生体情報入力手段により取得された特徴データとが一致するか否かを比較する制御手段と、
を備えることを特徴とする人物照合装置であること。
【００１１】
（２）複数の生体情報の特徴データを有する登録特徴データ群を記憶する記憶手段と、
人物の生体情報の入力を受け付け、その生体情報の特徴データを取得する生体情報入力手段と、
人物のＩＤの入力を受け付けるＩＤ入力手段と、
前記生体情報入力手段により取得された特徴データと前記登録特徴データ群の一部の特徴データとを比較し、前記生体情報入力手段により取得された特徴データが前記登録特徴データ群の特徴データと一致しない場合、前記ＩＤの入力を前記ＩＤ入力手段に対して指示する制御手段と、
を備えることを特徴とする人物照合装置であること。
【００１２】
（３）複数の生体情報の特徴データを有する登録特徴データ群を記憶する記憶手段と、
人物の生体情報の入力を受け付け、その生体情報の特徴データを取得する生体情報入力手段と、
人物のＩＤの入力を受け付けるＩＤ入力手段を備え、
前記登録特徴データ群は、特定の生体情報の特徴データを有する第１の登録特徴データ群と第２の登録特徴データ群とによって構成されると共に、前記第２の登録特徴データ群は、各特徴データにＩＤが対応付けられて記憶されていること、
を特徴とする人物照合装置であること。
【００１３】
（４）人物照合装置と、前記人物照合装置と相互に通信可能に接続される情報処理装置と、を備える人物照合システムにおいて、
前記人物照合装置は、
生体情報の特徴データを有する第１の登録特徴データ群を記憶する第１の記憶手段と、
人物の生体情報の入力を受け付け、その生体情報の特徴データを取得する生体情報入力手段と、
人物のＩＤの入力を受け付けるＩＤ入力手段と、
前記情報処理装置と通信する第１の通信手段と、
前記生体情報入力手段により取得された特徴データと前記第１の登録特徴データ群とを比較し、前記生体情報入力手段により取得された特徴データが前記第１の登録特徴データ群の特徴データと一致しない場合、前記ＩＤ入力手段により入力されたＩＤに対応する特徴データを前記情報処理装置に要求して受信し、当前記生体情報入力手段により取得された特徴データと前記情報処理装置から取得した特徴データとが一致するか否かを比較する第１の制御手段と、を有し、
前記情報処理装置は、
生体情報の特徴データと各生体情報に対応付けられたＩＤとを有する第２の登録特徴データ群を記憶する第２の記憶手段と、
前記人物照合装置と通信する第２の通信手段と、
前記ＩＤに対応する特徴データの要求を受信し、当該ＩＤに対応する特徴データを、前記第２の記憶手段に記憶された前記第２の特徴データ群から検索して前記人物照合装置へ送信する第２の制御手段と、を有すること、
を特徴とする人物照合システムであること。
【００１４】
（５）人物照合装置と、前記人物照合装置と相互に通信可能に接続される情報処理装置と、を備える人物照合システムにおいて、
前記人物照合装置は、
複数の生体情報の特徴データを有する第１の登録特徴データ群を記憶する第１の記憶手段と、
人物の生体情報の入力を受け付け、その生体情報の特徴データを取得する生体情報入力手段と、
人物のＩＤの入力を受け付けるＩＤ入力手段と、
前記情報処理装置と通信する第１の通信手段と、
前記生体情報入力手段により取得された特徴データと前記第１の登録特徴データ群とを比較し、前記生体情報入力手段により取得された特徴データが前記第１の登録特徴データ群の特徴データと一致しない場合、前記ＩＤの入力を前記ＩＤ入力手段に対して指示する第１の制御手段と、を有し、
前記情報処理装置は、
生体情報の特徴データと各生体情報に対応付けられたＩＤを有する第２の登録特徴データ群を記憶する第２の記憶手段と、
前記人物照合装置と通信する第２の通信手段と、
前記ＩＤに対応する特徴データを、前記第２の記憶手段に記憶された前記第２の特徴データ群から検索して前記人物照合装置へ送信する第２の制御手段と、を有すること、
を特徴とする人物照合システムであること。
【００１５】
（６）人物照合装置と、前記人物照合装置と相互に通信可能に接続される情報処理装置と、を備える人物照合システムにおいて、
前記人物照合装置は、
生体情報の特徴データを有する第１の登録特徴データ群を記憶する第１の記憶手段と、
人物の生体情報の入力を受け付け、その生体情報の特徴データを取得する生体情報入力手段と、
人物のＩＤの入力を受け付けるＩＤ入力手段と、
前記情報処理装置と通信する第１の通信手段と、を有し、
前記情報処理装置は、
生体情報の特徴データを有する第２の登録特徴データ群を記憶する第２の記憶手段と、  前記人物照合装置と通信する第２の通信手段と、を有し、
第２の登録特徴データ群は、各特徴データにＩＤが対応付けられて記憶されていること、
を特徴とする人物照合システムであること。
【００１６】
（７）人物の生体情報の入力により、その生体情報の特徴データを取得する工程と、
前記取得された特徴データと、生体情報の特徴データを有する第１の登録特徴データ群の各特徴データとが一致するか否かを比較する工程と、
前記取得された特徴データが前記第１の登録特徴データ群の特徴データと一致しない場合、前記生体情報を入力した人物のＩＤの入力を受け付ける工程と、
前記受け付けられたＩＤに対応する特徴データを生体情報の特徴データと各生体情報に対応付けられたＩＤとを有する第２の登録特徴データ群から取得し、当該第２の登録特徴データ群から取得した特徴データと前記取得された特徴データとが一致するか否かを比較する工程と、
を含むことを特徴とする人物照合方法であること。
【００１７】
（８）人物の生体情報の入力により、その生体情報の特徴データを取得する工程と、
前記取得された特徴データと、複数の特徴データを有する登録特徴データ群の一部の特徴データとが一致するか否かを比較する工程と、
前記取得された特徴データが前記登録特徴データ群の一部の特徴データと一致しない場合、ＩＤの入力を指示する工程と、
を含むことを特徴とする人物照合方法であること。
【発明の効果】
【００１８】
本発明によれば、ＩＤの入力操作を頻繁に行うことを防ぎ、人物照合の利便性を高めることができる。さらに、常に特徴データ同士の比較により人物照合を行うので、人物照合のセキュリティを高めることができる。
【発明を実施するための最良の形態】
【００１９】
以下、図面を参照して本発明に係る第１、第２及び第３実施の形態並びに変形例を順に詳細に説明する。ただし、発明の範囲は、図示例に限定されない。
【００２０】
（第１の実施の形態）
図１〜図４を参照して本発明に係る第１の実施の形態を説明する。先ず、図１を参照して本実施の形態の装置の特徴を説明する。図１に、本実施の形態の複写機１の構成を示す。
【００２１】
先ず、図１を参照して、本実施の形態の人物照合装置としての複写機１の構成を説明する。複写機１は、画像形成手段としての複写機本体１０Ａと、指紋照合モジュール３０と、を備え、指紋照合モジュール３０が複写機本体１０Ａに接続されて構成される。
【００２２】
複写機１は、ＣＰＵ（Central Processing Unit）１１と、操作手段１２と、ＲＡＭ（Random Access Memory）１３と、表示手段１４と、記憶手段としてのＨＤＤ（Hard Disk Drive）１５と、メモリ１６と、通信手段１７と、スキャナ手段１８と、プリント手段１９と、を備えて構成され、各部がバス２０に接続される。
【００２３】
ＣＰＵ１１は、複写機本体１０Ａ内の各部を中央制御する。ＣＰＵ１１は、ＨＤＤ１５又はメモリ１６に格納されているシステムプログラム及び各種アプリケーションプログラムの中から指定されたプログラムをＲＡＭ１３に展開し、ＲＡＭ１３に展開されたプログラムとの協働で、各種処理を実行する。
【００２４】
操作手段１２は、入力キーなどを備え、操作者から操作入力された人物（操作者）のＩＤやその他の情報を入力信号として受け付け、その入力信号をＣＰＵ１１に出力するＩＤ入力手段である。また、ＩＤ入力手段としては、操作手段１２に限定されるものではなく、ＩＤが記録されたＩＣカード等の記録媒体から、その記録されたＩＤを読み取る読み取り手段等としてもよい。ＲＡＭ１３は、プログラム、入力データ及び処理結果などを格納するワークエリアを有し、情報を一時的に格納する。表示手段１４は、ＬＣＤ（Liquid Crystal Display）などにより構成され、ＣＰＵ１１からの表示信号に基づいて各種情報を表示し、特に、各種操作画面を表示する。また、表示手段１４は、操作手段１２と一体にして、タッチパネルを構成することとしてもよい。
【００２５】
ＨＤＤ１５は、画像データなどの各種データ及び各種プログラムを、読み出し及び書き込み可能に記憶する。ＨＤＤ１５は、後述する第１の特徴データ提供処理を行う第１の特徴データ提供プログラムと、第２の登録特徴データ群２００と、を記憶する。
【００２６】
メモリ１６は、複写機本体１０Ａにおいて使用するデータを記憶する画像メモリやローカルメモリ等であり、フラッシュメモリなどの読み込み及び書き込み可能にデータを記憶するメモリや、書き換え不要なデータを記憶するＲＯＭ（Read Only Memory）等により構成される。
【００２７】
通信手段１７は、通信ケーブル等を介して外部モジュールと通信接続し、接続した外部モジュールと各種データを送受信する。
【００２８】
スキャナ手段１８は、原稿に記録された画像を読み取り、その画像の画像データを生成する。スキャナ手段１８は、原稿に光を照射する光源と、原稿からの反射光を光電変換するＣＣＤ（Charge Coupled Device）、ＣＭＯＳ（Complementary Metal-Oxide Semiconductor）等のイメージセンサと、原稿に照射する光を走査する走査手段と、イメージセンサにより読み取られた電気信号に各種変換・処理を施し画像データを出力する画像処理手段とを有する。
【００２９】
プリント手段１９は、インクジェット式、レーザ式、熱転写式、ドットインパクト式等のプリンタであり、ＣＰＵ１１等から入力される画像データに基づいて、記録用紙等の記録媒体上に画像を形成して記録する。
【００３０】
指紋照合モジュール３０は、操作者の生体情報としての指紋情報としての指紋画像データの入力を受け付け、指紋画像データに基づく特徴データを取得する生体情報入力手段である。指紋照合モジュール３０は、ＣＰＵ３１と、指紋入力手段３２と、ＲＡＭ３３と、通信手段３４と、記憶手段としてのメモリ３５と、を備えて構成され、各部がバス３６に接続される。
【００３１】
ＣＰＵ３１、ＲＡＭ３３、通信手段３４、メモリ３５は、順に、ＣＰＵ１１、ＲＡＭ１３、通信手段１７、メモリ１６と同様の機能を有する。ＣＰＵ３１は、指紋照合モジュール３０内の各部を中央制御する。また、ＣＰＵ１１、ＲＡＭ１３及びＨＤＤ１５と同様に、ＣＰＵ３１、ＲＡＭ３３及びメモリ３５の協働により制御手段を実現する。通信手段３４は、複写機本体１０Ａとの通信を介する。メモリ３５は、読み出し及び書き込みを可能に各種データを記憶し、特に、後述する第１の人物照合処理を行う第１の人物照合プログラムと、第１の登録特徴データ群１００と、を記憶する。
【００３２】
指紋入力手段３２は、操作者の人差し指等の指紋を指紋画像データとして読み取り、その指紋画像データをＣＰＵ３１に出力する。ＣＰＵ３１は、入力された指紋画像データの特徴を示す特徴データを生成する。特徴データは、指紋画像の特徴点等のデータからなり、各指紋を識別する。本実施の形態では、指を置いたまま指紋を読み取るものとするが、指をスライドさせて読み取るスイープ式のもの等としてもよい。
【００３３】
次に、図２を参照して、複写機１に記憶されるデータを説明する。図２（ａ）に、第１の登録特徴データ群１００の構成を示す。図２（ｂ）に、第２の登録特徴データ群２００の構成を示す。図２（ｃ）に、個別設定情報５００の構成を示す。これらは、それぞれテーブル又はデータベースを構成している。
【００３４】
指紋照合モジュール３０のメモリ３５には、図２（ａ）に示すような、予め登録された複数人物のＩＤ１０１と、各ＩＤ１０１に対応付けられた複数の登録特徴データ１０２と、を有する第１の登録特徴データ群１００が記憶される。また、複写機本体１０ＡのＨＤＤ１５には、図２（ｂ）に示すような、予め登録された複数人物のＩＤ２０１と、各ＩＤ２０１に対応付けられた複数の登録特徴データ２０２と、を有する第２の登録特徴データ群２００が記憶される。但し、第２の登録特徴データ群２００は、メモリ１６に記憶される構成としてもよい。
【００３５】
例えば、登録する人物のＩＤを、複写機本体１０Ａの操作手段１２等を介する入力により取得し、そのＩＤに対応付けて、指紋入力手段３２等を介する指紋入力により、指紋の特徴データを取得することにより、第２の登録特徴データ群２００の各レコードのＩＤ２０１及び登録特徴データ２０２が登録される。
【００３６】
同様にして、第１の登録特徴データ群１００の各レコードのＩＤ１０１及び登録特徴データ１０２も登録される。また、第１の登録特徴データ群１００の各レコードの人物は、第２の登録特徴データ群２００のレコードの人物に含まれてもよく、含まれなくてもよい。
【００３７】
第１の登録特徴データ群１００は、後述する１：Ｎ照合用のレコードを有し、第２の登録特徴データ群２００に含まれる登録特徴データよりも少ない登録特徴データに対応し、例えば、複写機１をよく使う操作者の登録特徴データ１０２を有することが好ましい。第２の登録特徴データ群２００は、第１の登録特徴データ群１００を含む操作者のＩＤ２０１及び登録特徴データ２０２を有してもよい。第１の登録特徴データ群１００のレコード数は、固定としても可変としてもよい。また、第１の登録特徴データ群１００の各レコードの内容（人物）は、固定としても流動としてもよい。本実施の形態では、第１の登録特徴データ群１００のレコードの内容が固定である場合を説明する。例えば、複写機１の操作手段１２を介する管理者の入力により、複写機１の使用頻度が多い人物の特徴データを、第１の登録特徴データ群１００の各レコードとして登録、変更する構成とする。第２の登録特徴データ群２００は、後述する１：１照合用のレコードを有する。
【００３８】
また、複写機本体１０ＡのＨＤＤ１５には、図２（ｃ）に示すような、予め登録された複数人物のＩＤ５０１と、各ＩＤ５０１に対応付けられた複数の印刷条件５０２と、を有する個別設定情報５００が記憶される。但し、個別設定情報５００は、メモリ１６に記憶される構成としてもよい。
【００３９】
印刷条件５０２は、各ＩＤ５０１に対応する人物別に予め設定される、複写機１使用時のプリント手段１９における印刷条件であり、例えば、印刷物の、両面／片面印刷、ソートの条件、印刷濃度等である。
【００４０】
次に、図３及び図４を参照して、複写機１の動作を説明する。図３（ａ）に、指紋照合モジュール３０で実行される第１の人物照合処理の流れを示し、図３（ｂ）に、複写機本体１０Ａで実行される第１の特徴データ提供処理の流れを示す。図４に、複写機本体１０Ａで実行される個別情報設定処理の流れを示す。
【００４１】
先ず、指紋照合モジュール３０で実行される第１の人物照合処理を説明する。例えば、操作手段１２から第１の人物照合処理（及び第１の特徴データ提供処理）の実行指示が入力され、その実行指示を通信手段３４を介して複写機本体１０Ａから受信したことをトリガとして、メモリ３５から第１の人物照合プログラムが適宜読み出されてＲＡＭ３３に展開され、ＣＰＵ３１と、展開された第１の人物照合プログラムとの協働により第１の人物照合処理が実行される。
【００４２】
先ず、指紋入力手段３２を介して操作者から指紋が入力され、その指紋の特徴データが取得される（ステップＳ１）。そして、メモリ３５に記憶された第１の登録特徴データ群１００が読み出され、ステップＳ１で入力された指紋の特徴データと、第１の登録特徴データ群１００の各登録特徴データ１０２と、が比較され（１：Ｎ照合され）、一致するか否か（一致する登録特徴データがあるか否か）が判別される（ステップＳ２）。
【００４３】
ここで、指紋入力手段３２を介して入力された指紋から取得された特徴データと第１の登録特徴データ群１００の各登録特徴データ１０２とを比較する場合（１：Ｎ照合）において、特徴データの複数の特徴点と各登録特徴データ１０２の複数の特徴点との一致を比較するが、全ての特徴点が完全に一致することはほとんどなく、特徴データと登録特徴データ１０２との一致度（類似度）が所定の閾値以上の場合は一致するとし、その一致度が所定の閾値未満である場合は一致しないものとする。同様に、後述する第２の登録特徴データ群２００から取得した操作手段１２により入力されたＩＤに対応する登録特徴データ２０２と指紋入力手段３２を介して入力された指紋から取得された特徴データとを比較する場合（１：１照合）において、一致する、一致しないの判断は同様とする。
【００４４】
１：Ｎ照合で一致しない場合（ステップＳ２；ＮＯ）、指紋を入力した操作者のＩＤに対応する登録特徴データの要求が通信手段３４を介して複写機本体１０Ａに送信される（ステップＳ３）。そして、送信した指紋を入力した操作者のＩＤに対応する登録特徴データの要求に対する応答としてのデータ（検索エラーの旨のデータ又はＩＤに対応する登録特徴データ）を通信手段３４を介して複写機本体１０Ａから受信したか否かが判別される（ステップＳ４）。データを受信していない場合（ステップＳ４；ＮＯ）、ステップＳ４に移行される。
【００４５】
データを受信した場合（ステップＳ４；ＹＥＳ）、受信したデータが（登録特徴データの検索の）エラーの旨のデータであるか否かが判別される（ステップＳ５）。受信したデータがエラーの旨のデータでない場合（ステップＳ５；ＮＯ）、受信したデータが、指紋を入力した操作者のＩＤに対応する登録特徴データ（第２の登録特徴データ群２００から検索されたＩＤに対応する登録特徴データ）であり、ステップＳ１で入力された指紋の特徴データと、受信したＩＤに対応する登録特徴データと、が比較され（１：１照合され）、一致するか否かが判別される（ステップＳ６）。
【００４６】
１：Ｎ照合で一致した場合（ステップＳ２；ＹＥＳ）又は１：１照合で一致した場合（ステップＳ６；ＹＥＳ）、操作者は予め登録された人物であることを特定することができたため、指紋を入力した操作者に対する複写機１の使用許可の旨が、通信手段３４を介して複写機本体１０Ａへ送信され（ステップＳ７）、第１の人物照合処理が終了する。ステップＳ７において、ステップＳ２でＹＥＳを通っている場合、第１の登録特徴データ群１００から照合が一致した登録特徴データ１０２のＩＤ１０１が取得され、その取得したＩＤが、複写機１の使用許可の旨とともに複写機本体１０Ａへ送信される。
【００４７】
受信したデータがエラーの旨のデータである場合（ステップＳ５；ＹＥＳ）、又は１：１照合で一致していない場合（ステップＳ６；ＮＯ）、操作者は予め登録された人物であることを特定することができないため、指紋を入力した操作者に対する複写機１の使用不許可の旨が、通信手段３４を介して複写機本体１０Ａへ送信され（ステップＳ８）、第１の人物照合処理が終了する。
【００４８】
次いで、第１の人物照合処理に対応して、複写機本体１０Ａで実行される第１の特徴データ提供処理を説明する。例えば、通信手段３４から第１の人物照合処理（及び第１の特徴データ提供処理）の実行指示が入力されたことをトリガとして、ＨＤＤ１５から第１の特徴データ提供プログラムが適宜読み出されてＲＡＭ１３に展開され、ＣＰＵ１１と、展開された第１の特徴データ提供プログラムとの協働により第１の特徴データ提供処理が実行される。
【００４９】
先ず、ステップ３において送信された指紋を入力した操作者のＩＤに対応する登録特徴データの要求を通信手段１７を介して指紋照合モジュール３０から受信したか否かが判別される（ステップＳ１１）。登録特徴データの要求を受信していない場合（ステップＳ１１；ＮＯ）、ステップＳ１１に移行される。登録特徴データの要求を受信した場合（ステップＳ１１；ＹＥＳ）、指紋を入力した操作者に対し、ＩＤを入力する旨の表示を表示手段１４に表示させ、指紋を入力した操作者によりＩＤが操作手段１２を介して入力される（ステップＳ１２）。
【００５０】
そして、ステップＳ１２で入力されたＩＤに対応する特徴データが、ＨＤＤ１５に記憶された第２の登録特徴データ群２００において検索される（ステップＳ１３）。そして、ＩＤに対応する登録特徴データがあるか否かが判別される（ステップＳ１４）。ＩＤに対応する登録特徴データがある場合（ステップＳ１４；ＹＥＳ）、ステップＳ４に対応して、ＩＤに対応する登録特徴データが通信手段１７を介して指紋照合モジュール３０に送信され（ステップＳ１５）、第１の特徴データ提供処理が終了する。ＩＤに対応する登録特徴データがない場合（ステップＳ１４；ＮＯ）、ステップＳ４に対応して、ＩＤに対応する登録特徴データが検索されないエラーの旨が通信手段１７を介して指紋照合モジュール３０に送信され（ステップＳ１６）、第１の特徴データ提供処理が終了する。
【００５１】
次いで、第１の人物照合処理及び第１の特徴データ提供処理に対応して、複写機本体１０Ａで実行される個別情報設定処理を説明する。例えば、操作手段１２を介して第１の人物照合処理（及び第１の特徴データ提供処理）の実行指示が入力されたことをトリガとして、ＨＤＤ１５から個別情報設定プログラムが適宜読み出されてＲＡＭ１３に展開され、ＣＰＵ１１と、展開された個別情報設定プログラムとの協働により個別情報設定処理が実行される。
【００５２】
先ず、第１の人物照合処理のステップＳ７に対応して、複写機１の使用許可の旨を通信手段３４を介して指紋照合モジュール３０から受信したか否かが判別される（ステップＳ１０１）。複写機１の使用許可の旨を受信した場合（ステップＳ１０１；ＹＥＳ）、複写機１の使用許可の旨とともに、使用許可された操作者のＩＤを通信手段３４を介して指紋照合モジュール３０から受信したか否かが判別される（ステップＳ１０２）。
【００５３】
ＩＤを受信していない場合（ステップＳ１０２；ＮＯ）、１：１照合で一致しているため、第１の特徴データ提供処理のステップＳ１２で入力された、使用許可された操作者のＩＤが取得される（ステップＳ１０３）。そして、ＨＤＤ１５に記憶された個別設定情報５００が参照され、取得又は受信されたＩＤに対応する個別設定情報としての印刷条件５０２が読み出されて設定される（ステップＳ１０４）。ＩＤを受信した場合（ステップＳ１０２；ＹＥＳ）、１：Ｎ照合で一致しており、ステップＳ１０４に移行される。
【００５４】
そして、複写機１が、操作者からの各種入力（原稿、印刷用紙のセットや、操作手段１２を介した印刷実行の入力等）を待機する入力待機状態に設定され（ステップＳ１０５）、個別情報設定処理が終了する。
【００５５】
複写機１の使用許可の旨を受信していない場合（ステップＳ１０１；ＮＯ）、第１の人物照合処理のステップＳ８に対応して、複写機１の使用不許可の旨を通信手段３４を介して指紋照合モジュール３０から受信したか否かが判別される（ステップＳ１０６）。複写機１の使用不許可の旨を受信した場合（ステップＳ１０６；ＹＥＳ）、その使用不許可の旨が複写機１に設定され（ステップＳ１０７）、指紋を入力した操作者が複写機１を使用不可能となり、個別情報設定処理が終了する。複写機１の使用不許可の旨を受信していない場合（ステップＳ１０６；ＮＯ）、ステップＳ１０１に移行される。
【００５６】
以上、本実施の形態によれば、指紋入力手段３２により取得された特徴データと、第２の登録特徴データ群２００よりもレコード数が少ない第１の登録特徴データ群１００の各特徴データとの比較により人物照合の成否を判別するので、第２の登録特徴データ群２００を用いる場合に比べて、第１の登録特徴データ群１００を記憶するメモリ３５の容量を低減でき、また人物照合の精度を高めることができ、照合時間を短くできる。これとともに、ステップＳ２で一致しない場合に、操作手段１２に入力されたＩＤに対応する特徴データを第２の登録特徴データ群２００から取得し、指紋照合モジュール３０により取得された特徴データと、第２の登録特徴データ群２００から取得されたＩＤに対応する特徴データとの比較により人物照合の成否を判別することができるので、１：１照合により照合時間を短くでき、ＩＤ操作入力を頻繁に行うことを防ぎ、人物照合の利便性を高めることができる。さらに、常に特徴データ同士の比較を行うので、人物照合のセキュリティを高めることができる。
【００５７】
また、特徴データ同士の比較において、特徴データ同士の一致する一致度（割合）が所定の閾値以上であるか否かに基づいて判断を行うので、人物照合の成否をより適切に判別することができる。
【００５８】
また、特徴データが一致した場合、特定された操作者のみに対して複写機１の使用許可を設定するので、複写機１の使用許可のセキュリティを高めることができ、複写機１のＨＤＤ１５に格納されるプリント用等の画像データのアクセスのセキュリティを高めることができる。
【００５９】
また、第１の登録特徴データ群１００が、複写機１の使用頻度が多い複数人物の生体情報の特徴データを有する場合、入力された特徴データと、ＩＤに対応する特徴データとの比較による人物照合を行う頻度（ステップＳ３を通る頻度）を低減し、照合時間をより短くでき、照合精度をより高めることができ、人物照合の利便性をより高めることができる。
【００６０】
また、１：Ｎ照合が失敗した場合に、ＩＤ入力指示が表示手段１４に表示し、操作者に対してＩＤの入力が必要なときに通知することができる。また、第１の登録特徴データ群１００と第２の登録特徴データ群２００とを異なる記憶手段（ＨＤＤ１５，メモリ３５）に記憶させることにより、メモリ３５における第１の登録特徴データ群１００の記憶容量を低減できる。
【００６１】
また、常に登録特徴データとＩＤがセットになっており、第１の登録特徴データ群１００を使う際には一致した登録特徴データ１０２から対応するＩＤ１０１が自動的に引き出され、第２の登録特徴データ群２００を使う際には入力したＩＤを認識することができる。さらにそれらのＩＤと個人毎の設定が自動的に呼び出され、複写機１を常に最適な状態で使用することが可能となる。
【００６２】
なお、複写機１が操作者に使用許可された場合に、個別設定情報の設定として、印刷条件５０２を設定する構成としたが、これに限定されるものではなく、個別設定情報として、その許可された操作者に対して、その操作者専用の操作画面、送信先アドレスブック、スタンプ、署名、親展プリント等を使用可能に設定する情報等としてもよい。
【００６３】
（第２の実施の形態）
図５及び図６を参照して、本発明に係る第２の実施の形態を説明する。先ず、図５を参照して、本実施の形態の装置構成を説明する。図５に、本実施の形態の複写機システム２の構成を示す。
【００６４】
図５に示すように、本実施の形態の人物照合システムとしての複写機システム２は、人物照合装置としての複写機１０Ｂと、情報処理装置としてのサーバ４０と、を備えて構成され、通信ネットワークＮを介して相互に通信可能に接続される。情報処理装置としては、サーバに限定されるものではなく、ＰＣ（Personal Computer）、複写機等の画像形成装置等としてもよい。
【００６５】
複写機１０Ｂは、複写機本体１０Ａと同様に、ＣＰＵ１１と、人物（操作者）のＩＤを受け付けるＩＤ入力手段としての操作手段１２と、ＲＡＭ１３と、表示手段１４と、メモリ１６と、スキャナ手段１８と、プリント手段１９と、を備え、さらに、第１の記憶手段としてのＨＤＤ１５Ｂと、生体情報入力手段としての指紋入力手段２１と、第１の通信手段としての通信手段２２と、を備えて構成され、各部がバス２０に接続される。また、ＣＰＵ１１、ＲＡＭ１３及びＨＤＤ１５Ｂの協働により第１の制御手段を実現する。
【００６６】
ＨＤＤ１５Ｂは、第１の実施の形態のＨＤＤ１５と同様であるが、第２の人物照合処理を行う第２の人物照合プログラムと、第１の登録特徴データ群１００Ａと、を記憶する。通信手段２２は、ＮＩＣ（Network Interface Card）等により構成され、通信ネットワークＮを介してサーバ４０等の外部機器と各種データを送受信する。
【００６７】
通信ネットワークＮは、例えば、ＬＡＮ（Local Area Network）であるが、ＷＡＮ（Wide Area Network）としてもよく、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネットサービスプロバイダなどを含む構成でもよい。
【００６８】
指紋入力手段２１は、第１の実施の形態の指紋照合モジュールと同様に、操作者の生体情報としての指紋情報としての指紋画像データの入力を受け付け、指紋画像データに基づく特徴データを取得する生体情報入力手段である。
【００６９】
サーバ４０は、ＣＰＵ４１と、操作手段４２と、ＲＡＭ４３と、表示手段４４と、第２の記憶手段としてのＨＤＤ４５と、第２の通信手段としての通信手段４６と、を備えて構成され、各部はバス４７により接続される。ＣＰＵ４１、ＲＡＭ４３は、順に、ＣＰＵ１１、ＲＡＭ１３と同様である。また、ＣＰＵ４１、ＲＡＭ４３及びＨＤＤ４５の協働により第２の制御手段を実現する。操作手段４２は、キーボード等のキー入力デバイスを備え、マウス等のポインティングデバイスを含めてもよい。表示手段４４は、ＣＲＴ（Cathode Ray Tube）、ＬＣＤ等の表示手段である。
【００７０】
通信手段４６は、ＮＩＣ等により構成され、通信ネットワークＮを介して複写機１０Ｂ等の外部機器と各種データを送受信する。ＨＤＤ４５は、第１の実施の形態のＨＤＤ１５と同様であるが、第２の特徴データ提供処理を行う第２の特徴データ提供プログラムと、第２の登録特徴データ群２００Ａと、を記憶する。
【００７１】
図示しないが、第１、第２の登録特徴データ群１００Ａ、２００Ａは、第１の実施の形態の第１、第２の登録特徴データ群１００、２００と同様であるものとする。
【００７２】
次に、図６を参照して、複写機システム２の動作を説明する。図６（ａ）に、複写機１０Ｂで実行される第２の人物照合処理の流れを示し、図６（ｂ）に、サーバ４０で実行される第２の特徴データ提供処理の流れを示す。
【００７３】
先ず、複写機１０Ｂで実行される第２の人物照合処理を説明する。例えば、操作手段１２から第２の人物照合処理の実行指示が入力されたことをトリガとして、ＨＤＤ１５Ｂから第２の人物照合プログラムが読み出されてＲＡＭ１３に展開され、ＣＰＵ１１と、展開された第２の人物照合プログラムとの協働により第２の人物照合処理が実行される。
【００７４】
先ず、指紋入力手段２１を介して操作者から指紋が入力され、その指紋の特徴データが取得される（ステップＳ２１）。そして、ＨＤＤ１５Ｂに記憶された第１の登録特徴データ群１００Ａが読み出され、ステップＳ２１で入力された指紋の特徴データと、第１の登録特徴データ群１００Ａの各登録特徴データ１０２と、が比較され（１：Ｎ照合され）、一致するか否か（一致する特徴データがあるか否か）が判別される（ステップＳ２２）。
【００７５】
なお、指紋入力手段２１を介して入力された指紋から取得された特徴データと第１の登録特徴データ群１００Ａの各登録特徴データ１０２とを比較する場合（１：Ｎ照合）、及び後述する第２の登録特徴データ群２００Ａから取得した操作手段１２により入力されたＩＤに対応する登録特徴データ２０２と指紋入力手段２１を介して入力された指紋から取得された特徴データとを比較する場合（１：１照合）において、一致する、一致しないの判断は、実施の形態１と同様とし説明は省略する。
【００７６】
１：Ｎ照合で一致しない場合（ステップＳ２２；ＮＯ）、指紋を入力した操作者に対し、ＩＤを入力する旨の表示を表示手段１４に表示させ、指紋を入力した操作者により操作者のＩＤが操作手段１２を介して入力される（ステップＳ２３）。そして、ステップＳ２３において入力されたＩＤと、そのＩＤに対応する登録特徴データの要求が通信手段２２及び通信ネットワークＮを介してサーバ４０に送信される（ステップＳ２４）。そして、送信したＩＤに対応する登録特徴データの要求に対する応答としてのデータ（検索エラーの旨のデータ又は登録特徴データ）を通信手段２２及び通信ネットワークＮを介してサーバ４０から受信したか否かが判別される（ステップＳ２５）。データを受信していない場合（ステップＳ２５；ＮＯ）、ステップＳ２５に移行される。
【００７７】
データを受信した場合（ステップＳ２５；ＹＥＳ）、受信したデータが（登録特徴データの検索の）エラーの旨のデータであるか否かが判別される（ステップＳ２６）。受信したデータがエラーの旨のデータでない場合（ステップＳ２６；ＮＯ）、受信したデータが、指紋を入力した操作者のＩＤに対応する登録特徴データ（第２の登録特徴データ群２００から検索されたＩＤに対応する登録特徴データ）であり、ステップＳ２１で入力された指紋の特徴データと、受信したＩＤに対応する登録特徴データと、が比較され（１：１照合され）、一致するか否かが判別される（ステップＳ２７）。
【００７８】
１：Ｎ照合で一致した場合（ステップＳ２２；ＹＥＳ）又は１：１照合で一致した場合（ステップＳ２７；ＹＥＳ）、操作者は予め登録された人物であることを特定することができたため、指紋を入力した操作者に対して複写機１０Ｂの使用許可の旨が設定され（ステップＳ２８）、第２の人物照合処理が終了する。複写機１０Ｂでは、指紋を入力した操作者が複写機１０Ｂを使用可能となる。複写機１０Ｂの使用許可の設定は、第１の実施の形態と同様に、個別設定情報を用いて操作者個別に行うことが好ましい。
【００７９】
受信したデータがエラーの旨のデータである場合（ステップＳ２６；ＹＥＳ）、又は１：１照合で一致していない場合（ステップＳ２７；ＮＯ）、操作者は予め登録された人物であることを特定することができないため、指紋を入力した操作者に対して複写機１０Ｂの使用不許可が設定され（ステップＳ２９）、第２の人物照合処理が終了する。複写機１０Ｂでは、指紋を入力した操作者が複写機１０Ｂを使用不可能となる。
【００８０】
次いで、第２の人物照合処理に対応して、サーバ４０で実行される第２の特徴データ提供処理を説明する。例えば、通信手段４６から第２の特徴データ提供処理の実行指示が入力されたことをトリガとして、ＨＤＤ４５から第２の特徴データ提供プログラムが読み出されてＲＡＭ４３に展開され、ＣＰＵ４１と、展開された第２の特徴データ提供プログラムとの協働により第２の特徴データ提供処理が実行される。
【００８１】
先ず、ステップＳ２３において送信されたＩＤに対応する登録特徴データの要求を通信ネットワークＮ及び通信手段４６を介して複写機１０Ｂから受信したか否かが判別される（ステップＳ３１）。登録特徴データの要求を受信していない場合（ステップＳ３１；ＮＯ）、ステップＳ３１に移行される。登録特徴データの要求を受信した場合（ステップＳ３１；ＹＥＳ）、受信したＩＤに対応する特徴データが、ＨＤＤ４５に記憶された第２の登録特徴データ群２００Ａにおいて検索される（ステップＳ３２）。
【００８２】
そして、受信したＩＤに対応する登録特徴データがあるか否かが判別される（ステップＳ３３）。ＩＤに対応する登録特徴データがある場合（ステップＳ３３；ＹＥＳ）、ＩＤに対応する登録特徴データが通信手段４６及び通信ネットワークＮを介して複写機１０Ｂに送信され（ステップＳ３４）、第２の特徴データ提供処理が終了する。ＩＤに対応する特徴データがない場合（ステップＳ３３；ＮＯ）、ＩＤに対応する登録特徴データが検索されないエラーの旨が通信手段４６及び通信ネットワークＮを介して複写機１０Ｂに送信され（ステップＳ３５）、第２の特徴データ提供処理が終了する。
【００８３】
以上、本実施の形態によれば、複写機１０Ｂにおいて、指紋入力手段２１により取得された特徴データと、第１の登録特徴データ群１００Ａの各特徴データとの比較により人物照合の成否を判別するので、第２の登録特徴データ群２００Ａを用いる場合に比べて、第１の登録特徴データ群１００Ａを記憶するＨＤＤ１５Ｂの容量を低減でき、また人物照合の精度を高めることができ、照合時間を短くできる。これとともに、複写機１０Ｂにおいて、ステップＳ２２で一致しない場合に、操作手段１２に入力されたＩＤに対応する特徴データをサーバ４０に要求して受信し、指紋入力手段２１により取得された特徴データと、ＩＤに対応する特徴データとの比較により人物照合の成否を判別するので、１：１照合により照合時間を短くでき、ＩＤ操作入力を頻繁に行うことを防ぎ、人物照合の利便性を高めることができる。さらに、サーバ４０から複写機１０Ｂへ１つの特徴データを送信するので通信情報量を低減できる。また、常に特徴データ同士の比較を行うので、人物照合のセキュリティを高めることができる。
【００８４】
なお、複写機１０Ｂにおいて、複写機１０Ｂの使用頻度が多い複数人物の指紋の特徴データをサーバ４０から受信して、第１の登録特徴データ群１００Ａに登録又は更新する構成としてもよい。
【００８５】
（第３の実施の形態）
図７及び図８を参照して、本発明に係る第３の実施の形態を説明する。本実施の形態の装置構成は、第２の実施の形態における複写機１０Ｂを単体で使用するものである。但し、第１及び第２の記憶手段としてのＨＤＤ１５Ｂに、第３の人物照合処理を行う第３の人物照合プログラムと、登録特徴データ群３００と、を記憶する構成とする。
【００８６】
次に、図７を参照して、ＨＤＤ１５Ｂに記憶する登録特徴データ群３００を説明する。図７に、登録特徴データ群３００の構成を示す。登録特徴データ群３００は、ＩＤ３０１と、ＩＤ３０１に対応する登録特徴データ３０２と、を含む。また、登録特徴データ群３００は、複写機１０Ｂを所定数の人物のレコードを有する第１の登録特徴データ群３１０と、第１の登録特徴データ群３１０以外の人物のレコードを有する第２の登録特徴データ群３２０とを含む。第１の登録特徴データ群３１０は、１：Ｎ認証用のレコードを有し、第２の登録特徴データ群３２０は、１：１認証用のレコードを有する。第１、第２の登録特徴データ群３１０、３２０は、順に、第１の実施の形態における第１、２の登録特徴データ群１００、２００に対応する。
【００８７】
このように、第１及び第２の登録特徴データ群は、単一のデータベースとして構成され、管理される。
【００８８】
なお、第１の登録特徴データ群３１０に登録される人物のレコードは、複写機１０Ｂをよく使う人物であることが好ましい。また、第１の登録特徴データ群と第２の登録特徴データ群を識別できるように、各データ（レコード）に識別コードを付与し、データベースとして区別できることが好ましい。
【００８９】
次に、図８を参照して、複写機１０Ｂの動作を説明する。図８に、複写機１０Ｂで実行される第３の人物照合処理の流れを示す。
【００９０】
複写機１０Ｂで実行される第３の人物照合処理を説明する。例えば、操作手段１２から第３の人物照合処理の実行指示が入力されたことをトリガとして、ＨＤＤ１５Ｂから第３の人物照合プログラムが読み出されてＲＡＭ１３に展開され、ＣＰＵ１１と、展開された第３の人物照合プログラムとの協働により第３の人物照合処理が実行される。
【００９１】
先ず、指紋入力手段２１を介して操作者から指紋が入力され、その指紋の特徴データが取得される（ステップＳ４１）。そして、ＨＤＤ１５Ｂに記憶された第１の登録特徴データ群３１０が読み出され、ステップＳ４１で入力された指紋の特徴データと、第１の登録特徴データ群３１０の各登録特徴データ３０２と、が比較され（１：Ｎ照合され）、一致するか否か（一致する特徴データがあるか否か）が判別される（ステップＳ４２）。
【００９２】
なお、指紋入力手段２１を介して入力された指紋から取得された特徴データと第１の登録特徴データ群３１０の各登録特徴データ３０２とを比較する場合（１：Ｎ照合）、及び後述する第２の登録特徴データ群３２０から取得した操作手段１２により入力されたＩＤに対応する登録特徴データ３０２と指紋入力手段２１を介して入力された指紋から取得された特徴データとを比較する場合（１：１照合）において、一致する、一致しないの判断は、実施の形態１と同様とし説明は省略する。
【００９３】
１：Ｎ照合で一致しない場合（ステップＳ４２；ＮＯ）、指紋を入力した操作者に対し、ＩＤを入力する旨の表示を表示手段１４に表示させ、指紋を入力した操作者により操作者のＩＤが操作手段１２を介して入力される（ステップＳ４３）。そして、ステップＳ４３において入力されたＩＤに対応する登録特徴データが、ＨＤＤ１５Ｂに記憶された第２の登録特徴データ群３２０で検索される（ステップＳ４４）。そして、ＩＤに対応する登録特徴データがあるか否かが判別される（ステップＳ４５）。
【００９４】
ＩＤに対応する登録特徴データがある場合（ステップＳ４５；ＹＥＳ）、ステップＳ４１で入力された指紋の特徴データと、検索したＩＤに対応する登録特徴データと、が比較され（１：１照合され）、一致するか否かが判別される（ステップＳ４６）。
【００９５】
１：Ｎ照合で一致した場合（ステップＳ４２；ＹＥＳ）又は１：１照合で一致した場合（ステップＳ４６；ＹＥＳ）、操作者は予め登録された人物であることを特定することができたため、指紋を入力した操作者の複写機１０Ｂに対して使用許可の旨が設定され（ステップＳ４７）、第３の人物照合処理が終了する。複写機１０Ｂでは、指紋を入力した操作者が複写機１０Ｂを使用可能となる。複写機１０Ｂの使用許可の設定は、第１の実施の形態と同様に、個別設定情報を用いて操作者個別に行うことが好ましい。
【００９６】
ＩＤに対応する登録特徴データがない場合（ステップＳ４５；ＮＯ）、又は１：１照合で一致していない場合（ステップＳ４６；ＮＯ）、操作者は予め登録された人物であることを特定することができないため、指紋を入力した操作者に対して複写機１０Ｂの使用不許可が設定され（ステップＳ４８）、第３の人物照合処理が終了する。複写機１０Ｂでは、指紋を入力した操作者が複写機１０Ｂを使用不可能となる。
【００９７】
以上、本実施の形態によれば、第１の実施の形態と同様に、指紋入力手段２１により取得された特徴データと、第１の登録特徴データ群３１０の各特徴データとの比較により人物照合の成否を判別するので、第２の登録特徴データ群３２０を用いる場合に比べて、第１の登録特徴データ群３１０の容量を低減でき、また人物照合の精度を高めることができ、照合時間を短くできる。これとともに、ステップＳ４２で一致しない場合に、操作手段１２に入力されたＩＤに対応する特徴データを第２の登録特徴データ群３２０から取得し、指紋入力手段２１により取得された特徴データと、第２の登録特徴データ群３２０から取得したＩＤに対応する特徴データとの比較により人物照合の成否を判別するので、１：１照合により照合時間を短くでき、ＩＤ操作入力を頻繁に行うことを防ぎ、操作の利便性を高めることができる。さらに、常に特徴データ同士の比較を行うので、人物照合のセキュリティを高めることができる。
【００９８】
また、第１及び第２の登録特徴データ群３１０，３２０を同一の記憶手段（ＨＤＤ１５Ｂ）に記憶させることにより、異なる記憶手段に記憶させる場合のように記憶手段間の通信等のステップが不要となり、１回目の１：Ｎ照合後、２回目の１：１照合を行う際にもスムーズな処理が可能となり、結果として照合の処理を高速化できる。
【００９９】
（第１の変形例）
図９及び図１０を参照して、第３の実施の形態の第１の変形例を説明する。本変形例は、第３の実施の形態と装置構成が同様であり、第３の人物照合処理に代えて、第４の人物照合処理を実行する構成とし、同様の部分の説明を省略する。本変形例では、ＨＤＤ１５Ｂに、第４の人物照合プログラムと、第３の登録特徴データ群３００Ａと、が記憶される。
【０１００】
図９に、登録特徴データ群３００Ａの構成を示す。登録特徴データ群３００Ａは、ＩＤ３０１と、ＩＤ３０１に対応する登録特徴データ３０２と、ＩＤ３０１に対応するパスワード３０３と、を有する。また、第３の実施の形態の登録特徴データ群３００の登録特徴データ群３１０，３２０と同様に、登録特徴データ群３１０Ａ，３２０Ａを有する。
【０１０１】
次に、図１０を参照して、本変形例における複写機１０Ｂの動作として、第４の人物照合処理を説明する。図１０に、複写機１０Ｂで実行される第４の人物照合処理の流れを示す。例えば、操作手段１２から第４の人物照合処理の実行指示が入力されたことをトリガとして、ＨＤＤ１５Ｂから第４の人物照合プログラムが読み出されてＲＡＭ１３に展開され、ＣＰＵ１１と、展開された第４の人物照合プログラムとの協働により第４の人物照合処理が実行される。
【０１０２】
ステップＳ５１〜Ｓ５８は、順に、ステップＳ４１〜Ｓ４８と同様である。ＩＤに対応する登録特徴データがない場合（ステップＳ５５；ＮＯ）、又は１：１照合で一致していない場合（ステップＳ５６；ＮＯ）、指紋を入力した操作者に対し、パスワードを入力する旨の表示を表示手段１４に表示させ、ステップＳ５１で指紋を入力した操作者により操作者のＩＤに対応するパスワードが操作手段１２を介して入力される（ステップＳ５９）。そして、ＨＤＤ１５Ｂに記憶された登録特徴データ群３００ＡのＩＤに対応するパスワード３０３が読み出され、ステップＳ５９で入力されたパスワードと、読み出したパスワードが一致するか否かが判別される（ステップＳ６０）。
【０１０３】
パスワードが一致する場合（ステップＳ６０；ＹＥＳ）、ステップＳ５７に移行される。パスワードが一致しない場合（ステップＳ６０；ＮＯ）、ステップＳ５８に移行される。
【０１０４】
以上、本変形例によれば、ＩＤに対応するパスワードの入力を受け付け、そのパスワードが正当であるか否かにより人物照合の成否を判別するので、指紋入力手段２１による指紋の特徴データの取得がうまくいかない場合にも、パスワードを用いて適切に人物照合できる。
【０１０５】
（第２の変形例）
図１１を参照して、第３の実施の形態の第２の変形例を説明する。本変形例は、第３の実施の形態と装置構成が同様であり、第３の人物照合処理に代えて、第５の人物照合処理を実行する構成とし、同様の部分の説明を省略する。本変形例では、ＨＤＤ１５Ｂに、第５の人物照合プログラムと、登録特徴データ群３００と、が記憶される。
【０１０６】
次に、図１１を参照して、本実施の形態における複写機１０Ｂの動作として、第５の人物照合処理を説明する。図１１に、複写機１０Ｂで実行される第５の人物照合処理の流れを示す。例えば、操作手段１２から第５の人物照合処理の実行指示が入力されたことをトリガとして、ＨＤＤ１５Ｂから第５の人物照合プログラムが読み出されてＲＡＭ１３に展開され、ＣＰＵ１１と、展開された第５の人物照合プログラムとの協働により第５の人物照合処理が実行される。
【０１０７】
ステップＳ７１〜Ｓ７８は、順に、ステップＳ４１〜Ｓ４８と同様である。１：１照合で一致していない場合（ステップＳ７６；ＮＯ）、指紋を入力した操作者に対し、指紋の再入力を指示する旨の表示を表示手段１４に表示させ、ステップＳ７１で指紋を入力した操作者により操作手段１２を介して指紋の再入力指示が入力されたか否かが判別される（ステップＳ７８）。指紋の再入力指示が入力されない場合（ステップＳ７９；ＮＯ）、ステップＳ７８に移行される。
【０１０８】
指紋の再入力指示が入力された場合（ステップＳ７９；ＹＥＳ）、指紋を入力した操作者により指紋入力手段２１を介して指紋が入力され、その指紋の特徴データが生成及び取得され（ステップＳ８０）、ステップＳ７６に移行される。ステップＳ７６においては、再入力された指紋の特徴データと、ＩＤに対応する特徴データとが比較される。
【０１０９】
以上、本変形例によれば、指紋の再入力により特徴データを再取得し、その再取得された特徴データと、ＩＤに対応する特徴データとの比較により人物照合の成否を判別するので、指紋入力による特徴データの取得がうまくいかない場合にも、再入力した指紋の特徴データを用いて適切に人物照合できる。
【０１１０】
なお、上記第１の変形例、第２の変形例を、上記第１の実施の形態、第２の実施の形態、に適用する構成としてもよい。
【０１１１】
（第３の変形例）
図１２を参照して、第３の実施の形態の第３の変形例を説明する。図１２に、第４の登録特徴データ群４００の構成を示す。第３の実施の形態では、本変形例は、登録特徴データ群３００の１：Ｎ照合に用いる登録特徴データ群３１０の内容は、固定されていたが、本変形例において、第４の登録特徴データ群４００の第１の登録特徴データ群４１０のレコードが、周期的に更新される構成とする
【０１１２】
第４の登録特徴データ群４００は、ＩＤ４０１と、ＩＤ４０１に対応する登録特徴データ４０２と、ＩＤ４０１に対応する操作者が最後に複写機１０Ｂを使用した最新使用日時４０３と、を有する。また、第４の登録特徴データ群４００は、１：Ｎ照合に用いる第１の登録特徴データ群４１０と、１：１照合に用いる照合に用いる第２の登録特徴データ群４２０とを有する。第１の登録特徴データ群４１０は、レコード順で最上位から予め設定された順番までの所定数のレコードを有するものとする。
【０１１３】
複写機１０Ｂにおいては、各操作者の複写機１０Ｂ使用ごとに随時、その操作者に対応する登録特徴データ４０２の最新使用日時４０３が更新される。そして、複写機１０Ｂにおいて、所定周期で、第４の登録特徴データ群４００のレコードが、最新使用日時４０３で新しい時間順に並べ替えが実行される。この構成では、第１の登録特徴データ群４１０が可変であり、新しい状態に更新される。
【０１１４】
以上、本変形例によれば、複写機１０Ｂにおいて、複写機１０Ｂの使用日時が新しい人物の特徴データ順に、第１の登録特徴データ群４１０を登録又は変更できるため、１：Ｎ照合時に第１の登録特徴データ群４１０の登録特徴データが一致する確率を高められ、人物の照合時間を短くできる。
【０１１５】
また、本変形例を第１の実施の形態に適用する構成としてもよい。この場合には、例えば、複写機本体１０Ａにおいて、第４の登録特徴データ群４００がＨＤＤ１５に記憶され、人物の使用履歴により更新される。そして、周期的に、第１の登録特徴データ群４１０が抽出され、その第１の登録特徴データ群４１０が通信手段１７を介して指紋照合モジュール３０に送信される。指紋照合モジュール３０において、通信手段３４を介して受信した第１の登録特徴データ群４１０を、１：Ｎ照合用にメモリ３５に記憶する構成となる。
【０１１６】
また、本変形例を第２の実施の形態に適用する構成としてもよい。この場合には、サーバ４０において、第４の登録特徴データ群４００がＨＤＤ４５に記憶され、操作者の使用履歴情報を通信ネットワークＮ及び通信手段４６を介して複写機１０Ｂから受信し、その使用履歴情報に基づいて登録特徴データ群４００が更新される。そして、周期的に、第１の登録特徴データ群４１０が抽出され、その第１の登録特徴データ群４１０が通信手段４６及び通信ネットワークＮを介して複写機１０Ｂに送信される。複写機１０Ｂにおいて、通信手段２２を介して受信した第１の登録特徴データ群４１０を、１：Ｎ照合用にＨＤＤ１５Ｂに記憶する構成となる。
【０１１７】
また、本変形例においては、複写機１０Ｂの最新の使用日時に基づいて第１の登録特徴データ群４１０を更新しているがこれに限定されるものではない。例えば、複写機１０Ｂの使用回数や、使用割合が最も多い人物から所定数の人物を、第１の登録特徴データ群４１０の各レコードの対象者としてもよく、また同様に、第１，第２の実施の形態に適用する構成としてもよい。
【０１１８】
なお、上記各実施の形態及び各変形例における記述は、本発明に係る好適な人物照合装置、人物照合システム及び人物照合方法の一例であり、これに限定されるものではない。
また、以上の実施の形態における人物照合装置、人物照合システムを構成する各部の細部構成及び細部動作に関して本発明の趣旨を逸脱することのない範囲で適宜変更可能である。また、上記各実施の形態及び各変形例の少なくとも２つの構成を適宜組み合わせることとしてもよい。
【０１１９】
また、上記各実施の形態及び各変形例においては、各同一人物で一つの特徴データを登録する構成を説明したが、これに限定されるものではない。例えば、各同一人物（同一ＩＤ）で複数の特徴データを登録しておく構成としてもよく、１：Ｎ照合時に、入力された指紋の照合データと、Ｎ人×複数の登録特徴データとを比較し、１：１照合時に、入力された指紋の照合データと、ＩＤに対応する複数の登録特徴データとを比較する構成としてもよい。このとき、例えば、複数の登録特徴データのうちの、入力特徴データと最も類似する登録特徴データとを比較することとしてもよい。さらに、各同一人物での複数の特徴データとは、複数指の特徴データとする構成としてもよい。このような各同一人物で複数の特徴データを登録する構成によれば、人物照合をより多様に行うことができる。
【０１２０】
また、上記各実施の形態及び各変形例においては、人物を照合するための生体情報として、指紋の情報を用いる例を説明したが、これに限定されるものではない。例えば、生体情報として、指紋、虹彩、顔、静脈、声紋等の少なくとも一つを用いる構成としてもよい。このような生体情報を用いる構成によれば、人物照合のセキュリティを高めることができる。
【図面の簡単な説明】
【０１２１】
【図１】本発明に係る第１の実施の形態の複写機１の構成を示すブロック図である。
【図２】（ａ）は、第１の登録特徴データ群１００の構成を示す図である。（ｂ）は、第２の登録特徴データ群２００の構成を示す図である。（ｃ）は、個別設定情報５００の構成を示す図である。
【図３】（ａ）は、指紋照合モジュール３０で実行される第１の人物照合処理を示すフローチャートである。（ｂ）は、複写機本体１０Ａで実行される第１の特徴データ提供処理を示すフローチャートである。
【図４】複写機本体１０Ａで実行される個別情報設定処理を示すフローチャートである。
【図５】本発明に係る第２の実施の形態の複写機システム２の構成を示すブロック図である。
【図６】（ａ）は、複写機１０Ｂで実行される第２の人物照合処理を示すフローチャートである。（ｂ）は、サーバ４０で実行される第２の特徴データ提供処理を示すフローチャートである。
【図７】登録特徴データ群３００の構成を示す図である。
【図８】複写機１０Ｂで実行される第３の人物照合処理を示すフローチャートである。
【図９】第３の登録特徴データ群３００Ａの構成を示す図である。
【図１０】複写機１０Ｂで実行される第４の人物照合処理を示すフローチャートである。
【図１１】複写機１０Ｂで実行される第５の人物照合処理を示すフローチャートである。
【図１２】第４の登録特徴データ群４００の構成を示す図である。
【図１３】従来の人物照合処理を示すフローチャートである。
【符号の説明】
【０１２２】
１  複写機
２  複写機システム
１０Ａ  複写機本体
１０Ｂ  複写機
１１  ＣＰＵ
１２  操作手段
１３  ＲＡＭ
１４  表示手段
１５  ＨＤＤ
１６  メモリ
１７  通信手段
１８  スキャナ手段
１９  プリント手段
２０  バス
２１  指紋入力手段
２２  通信手段
３０  指紋照合モジュール
３１  ＣＰＵ
３２  指紋入力手段
３３  ＲＡＭ
３４  通信手段
３５  メモリ
３６  バス
４０  サーバ
４１  ＣＰＵ
４２  操作手段
４３  ＲＡＭ
４４  表示手段
４５  ＨＤＤ
４６  通信手段
４７  バス
Ｎ  通信ネットワーク
【図１】
2006202207.tif 000003
【図２】
2006202207.tif 000004
【図３】
2006202207.tif 000005
【図４】
2006202207.tif 000006
【図５】
2006202207.tif 000007
【図６】
2006202207.tif 000008
【図７】
2006202207.tif 000009
【図８】
2006202207.tif 000010
【図９】
2006202207.tif 000011
【図１０】
2006202207.tif 000012
【図１１】
2006202207.tif 000013
【図１２】
2006202207.tif 000014
【図１３】
2006202207.tif 000015